(57)【要約】【課題】組み合わせに際して誤りを防止することができるインプラントフィクスチャー収納容器を提供する。【解決手段】インプラントフィクスチャーを保持し、保持すべきインプラントフィクスチャーの長さに基づいた長さで形成されたインプラントフィクスチャー保持部材（２０）と、インプラントフィクスチャー保持部材を内包して保持し、少なくとも一部が透明であるとともに、インプラントフィクスチャーの長さに関連する値が表記された収納体本体（１０）と、を備え、収納体本体にはインプラントフィクスチャー保持部材の端部の位置に基づいた部位に位置表示手段（１２）が設けられ、インプラントフィクスチャー保持部材の端部と位置表示手段とが同時に視認可能とされている。【選択図】図５
2014209973.tif 000002
【特許請求の範囲】
【請求項１】
インプラントフィクスチャーを保持し、保持すべきインプラントフィクスチャーの長さに基づいた長さで形成されたインプラントフィクスチャー保持部材と、
前記インプラントフィクスチャー保持部材を内包して保持し、少なくとも一部が透明であるとともに、前記インプラントフィクスチャーの長さに関連する値が表記された収納体本体と、を備え、
前記収納体本体には前記インプラントフィクスチャー保持部材の端部の位置に基づいた部位に位置表示手段が設けられ、
前記インプラントフィクスチャー保持部材の端部と前記位置表示手段とが同時に視認可能とされている、インプラントフィクスチャー収納容器。
【請求項２】
前記インプラントフィクスチャーの長さに関連する値が表記された部位と、前記位置表示手段とが兼用である請求項１に記載のインプラントフィクスチャー収納容器。
【請求項３】
前記インプラントフィクスチャーの長さに関連する値が表記された部位が矩形に区画された部位であり、前記矩形の１つの辺が前記位置表示手段として機能する請求項２に記載のインプラントフィクスチャー収納容器。
【請求項４】
前記インプラントフィクスチャー保持部材は一方に底を有する筒状体である、請求項１乃至３のいずれか１項に記載のインプラントフィクスチャー収納容器。
【請求項５】
請求項１乃至４のいずれか１項に記載のインプラントフィクスチャー収納容器を複数備える、インプラントフィクスチャー収納容器セット。
【請求項６】
前記複数のインプラントフィクスチャー収納容器は、少なくとも２種類の長さが異なるインプラントフィクスチャー保持部材を具備する請求項５に記載のインプラントフィクスチャー収納容器セット。
【発明の詳細な説明】
【技術分野】
【０００１】
本発明は、歯科用インプラント治療において用いられる歯科用のインプラントフィクスチャーを収納する容器である、インプラントフィクスチャー収納容器、およびこれを複数有するインプラントフィクスチャー収納容器セットに関する。
【背景技術】
【０００２】
近年、歯科補綴治療の一つとして、欠如した歯牙の部位における顎骨にインプラントフィクスチャー（人工歯根、インプラント体と呼ばれることもある。）を埋入し、これを天然の歯根に代用して、人工歯を直接又は他の部材（例えばアバットメント）を介して取り付ける技術が普及してきている。
【０００３】
これらのインプラントフィクスチャーは、その性質上衛生的であることが強く求められており、このような観点からインプラントフィクスチャーを使用直前まで、傷つけることなく保護しつつ衛生的に維持するインプラントフィクスチャー収納容器が用いられる。特許文献１、２にはこのようなインプラントフィクスチャー収納容器が開示されている。
【０００４】
特許文献１には、滅菌状態を維持できる高い密閉性を持つインプラントフィクスチャー収納容器として、チタン材で作製した有底円筒状の収納体本体を具備するものが開示されている。
また、特許文献２には、容器状のガラス又は樹脂製の収納体本体、該収納体本体に収められ、インプラントフィクスチャーを保持する所定の形状を有するチタン又はチタン合金製のインプラントフィクスチャー保持部材、及び収納体本体を密封するキャップを備えたインプラントフィクスチャー収納容器が開示されている。
【先行技術文献】
【特許文献】
【０００５】
【特許文献１】特開２００８−２８４１４５号公報
【特許文献２】特開２０１１−２１８０３９号公報
【発明の概要】
【発明が解決しようとする課題】
【０００６】
しかしながら、特許文献１に記載のインプラントフィクスチャー収納容器は、収納体本体がチタン材で作製されており、インプラントフィクスチャー収納容器が使い捨てとされている実情を鑑みるとチタン材料が無駄となるという問題があった。
【０００７】
一方、特許文献２に記載のインプラントフィクスチャー収納容器は、収納体本体をガラスや樹脂等により形成し、インプラントフィクスチャーを直接保持する部材を収納体本体に収納しているのでチタンを用いる量を減らすことができる。しかしながら、特許文献２に記載のインプラントフィクスチャー収納容器は、複数の部材が組み合わされることにより構成されている。
インプラントフィクスチャーは、より患者に適合したものとするため、長さが異なる複数の種類が準備されている。従って、歯科医などの施術者は患者にどの長さのインプラントフィクスチャーを用いるかを判断し、当該判断に基づいてインプラントフィクスチャーを患者の顎骨に埋入する。
インプラントフィクスチャー収納容器には、ここに内包されるインプラントフィクスチャーがどの長さであるかが表示され、通常施術者はこの表示を信頼して選択し、施術をおこなう。従って、インプラントフィクスチャーを提供する者は、表示されたインプラントフィクスチャーの長さと、実際に内包されるインプラントフィクスチャーの長さとが異なるように組み合わせてしまうことは許されない。この観点から特許文献２に記載の発明では、収納体本体とインプラントフィクスチャー保持部材とが誤って組み合わされてしまう虞もあった。ただし、これまでの取り組み等によりこのような誤りが発生することは皆無である。しかしながら、さらに明確、確実にこのような誤りを防止する手段を適用することができれば、より一層信頼性は向上する。また、検査をする作業者の負担を軽減することも重要である。
【０００８】
そこで本発明は、組み合わせに際して誤りを防止することができるインプラントフィクスチャー収納容器を提供することを課題とする。また、複数のインプラントフィクスチャー収納容器を含むインプラントフィクスチャー収納容器セットを提供する。
【課題を解決するための手段】
【０００９】
以下、本発明について説明する。なおここでは分かりやすさのため図面の参照符号を括弧書きで付記するが、本発明はこれに限定されることはない。
【００１０】
請求項１に記載の発明は、インプラントフィクスチャーを保持し、保持すべきインプラントフィクスチャーの長さに基づいた長さで形成されたインプラントフィクスチャー保持部材（２０）と、インプラントフィクスチャー保持部材を内包して保持し、少なくとも一部が透明であるとともに、インプラントフィクスチャーの長さに関連する値が表記された収納体本体（１０）と、を備え、収納体本体にはインプラントフィクスチャー保持部材の端部の位置に基づいた部位に位置表示手段（１２）が設けられ、インプラントフィクスチャー保持部材の端部と位置表示手段とが同時に視認可能とされている、インプラントフィクスチャー収納容器（１）である。
【００１１】
請求項２に記載の発明は、請求項１に記載のインプラントフィクスチャー収納容器（１）において、インプラントフィクスチャーの長さに関連する値が表記された部位と、位置表示手段とが兼用である。
【００１２】
請求項３に記載の発明は、請求項２に記載のインプラントフィクスチャー収納容器（１）において、インプラントフィクスチャーの長さに関連する値が表記された部位が矩形に区画された部位であり、矩形の１つの辺が位置表示手段として機能する。
【００１３】
請求項４に記載の発明は、請求項１乃至３のいずれか１項に記載のインプラントフィクスチャー収納容器（１）において、インプラントフィクスチャー保持部材（２０）は一方に底を有する筒状体である。
【００１４】
請求項５に記載の発明は、請求項１乃至４のいずれか１項に記載のインプラントフィクスチャー収納容器（１）を複数備える、インプラントフィクスチャー収納容器セット（５０）である。
【００１５】
請求項６に記載の発明は、請求項５に記載のインプラントフィクスチャー収納容器セット（５０）において、複数のインプラントフィクスチャー収納容器（１）は、少なくとも２種類の長さが異なるインプラントフィクスチャー保持部材（２０）を具備する。
【発明の効果】
【００１６】
本発明によれば、内包されるべきインプラントフィクスチャーの長さに基づいた長さを有するインプラントフィクスチャー保持部材と、収納体本体に具備された位置表示手段と、が正しく組み合わされたときに両者が所定の位置関係となり、これを視認することができる。従って、組み合わせの正誤を一見して認識することができ、組み合わせの間違いを防止することが可能である。また、一見して認識をすることができるので検査者の負担を軽減することもできる。
【図面の簡単な説明】
【００１７】
【図１】図１（ａ）は１つの形態にかかるインプラントフィクスチャー収納容器１の斜視図、図１（ｂ）はその分解斜視図である。
【図２】図２（ａ）は１つの形態にかかるインプラントフィクスチャー収納容器１の正面図、図１（ｂ）はその分解図である。
【図３】インプラントフィクスチャー収納容器１の断面図である。
【図４】図３の分解図である。
【図５】インプラントフィクスチャー収納容器１の正面図である。
【図６】誤った組み合わせを説明する図である。
【図７】図７（ａ）はインプラントフィクスチャー収納容器１’の正面図、図７’（ｂ）はインプラントフィクスチャー収納容器１”の正面図である。
【図８】インプラントフィクスチャー収納容器セット５０を説明する図である。
【発明を実施するための形態】
【００１８】
本発明の上記した作用及び利得は、次に説明する発明を実施するための形態から明らかにされる。以下、本発明を図面に示す実施形態に基づき説明する。ただし本発明はこれら実施形態に限定されるものではない。なお、ここに示す図は分かりやすさのため必要に応じて透視、誇張、変形して表すことがある。
【００１９】
図１（ａ）は１つの形態を説明する図であり、インプラントフィクスチャー収納容器１の斜視図、図１（ｂ）はその分解斜視図である。図２（ａ）はインプラントフィクスチャー収納容器１の正面図、図２（ｂ）はその分解図である。また、図３はインプラントフィクスチャー収納容器１の断面図、図４はその分解図である。
【００２０】
インプラントフィクスチャー収納容器１は、インプラントフィクスチャーを収納する容器であり、収納体本体１０、収納体本体１０内に挿入して保持されるインプラントフィクスチャー保持部材２０、及び収納体本体１０の開口端を閉鎖するキャップ３０を有して構成されている。
【００２１】
収納体本体１０は、少なくとも一方の端部が開口している筒状の容器である。収納体本体１０は、インプラントフィクスチャーに直接接触することがないためガラス又は樹脂で作製され、内側に収納されたインプラントフィクスチャー保持部材２０を視認することができるようにその少なくとも一部が透明とされている。また、収納容器本体１０は、他方の端部に底を有していてもよい。
【００２２】
収納体本体１０には、図３、図４によく表れているように、その開口側の外周は少し細くされ、外周面にキャップ３０に螺合するネジが設けられている。一方、収納体本体１０の内側面には、開口側が広く、他端側が狭くなるように段差１１が形成された部位を有する。後述するようにこの段差１１にインプラントフィクスチャー保持部材２０の拡張部２１が引っ掛かるように構成されている。
【００２３】
さらに収納体本体１０には、位置表示手段１２、及び長さ表示部１３が設けられている。
位置表示手段１２は収納されるべきインプラントフィクスチャー保持部材２０の長さに基づいた位置に設けられている。本形態では位置表示手段１２は図１乃至図４からわかるように収納体本体１０の外周面に設けられた矩形で区画された長さ表示部１３の１つの辺により形成されている。すなわち本形態では位置表示手段１２と長さ表示部１３とが兼用された形態である。そして本形態の位置表示手段１２は、インプラントフィクスチャー収納容器１の正面視（図２乃至図４で示した向き）で、当該位置表示手段１２と、インプラントフィクスチャー保持部材２０の底側の端部とが一致するように構成されている。
【００２４】
長さ表示部１３は、収納されるインプラントフィクスチャーの呼び長さが数字で表示されている部位である。すなわち、長さ表示部１３は、収納されるインプラントフィクスチャーの長さに関連する値が表示され、収納されているインプラントフィクスチャーの長さを明確にしている。本形態では長さ表示部１３は矩形で区画されており、この区画内に当該値が表示されている。図１乃至図４に示した例は呼び長さ１０ｍｍのインプラントフィクスチャーが収納されていることを表している。これにより収納されているインプラントフィクスチャーの長さを直接に認識することができる。
【００２５】
インプラントフィクスチャー保持部材２０は、一方が開口し、他方が底を有する有底筒状の部材であり、内側に収納空間２０ａが形成されている。この収納空間２０ａにインプラントフィクスチャーが直接挿入される。また、インプラントフィクスチャー保持部材２０には、その開口側に外周部が拡張された拡張部２１が設けられている。
【００２６】
インプラントフィクスチャー保持部材２０の筒状である軸方向の長さ（図２乃至図４における紙面上下方向における大きさ）は、収納空間２０ａに収められるインプラントフィクスチャーの呼び長さに基づく。従って、当該呼び長さが長いインプラントフィクスチャーを収納すべきインプラントフィクスチャー保持部材２０は長くなり、逆に呼び長さが短いインプラントフィクスチャーを収納すべきインプラントフィクスチャー保持部材２０は短くなる。
【００２７】
このインプラントフィクスチャー保持部材２０は、チタン又はチタン合金から作製されている。
【００２８】
キャップ３０は、図１乃至図４からわかるように収納体本体１０のうち、開口側端部を閉鎖するいわゆるフタである。従って、キャップ３０は一方が開放され、他方が底とされた有底筒状の部材であり、内周面には、上記した収納体本体１０の開口側外周に設けられたネジに螺合するネジが設けられている。
キャップ３０を構成する材料は特に限定されることはないが、樹脂により形成することもできる。
【００２９】
以上説明した構成部材が次のように組み合わされてインプラントフィクスチャーが収納されたインプラントフィクスチャー収納容器１とされている。すなわち、インプラントフィクスチャー保持部材２０の収納空間２０ａの内側にはインプラントフィクスチャーが内包されている。このとき、インプラントフィクスチャー保持部材２０は上記したように収納されるインプラントフィクスチャーの呼び長さに対応した長さのものが用いられている。
【００３０】
インプラントフィクスチャーが内包されたインプラントフィクスチャー保持部材２０は、図３からよくわかるように収納体本体１０の筒状の内側に収められている。このとき、インプラントフィクスチャー保持部材２０の底が収納体本体１０の他端側（収納容器本体が底を有する場合は底側）とされている。従ってインプラントフィクスチャー保持部材２０の収納空間２０ａの開口と収納体本体１０の開口とは同じ向きに開口している。そして、インプラントフィクスチャー保持部材２０のうち拡張部２１が、収納体本体１０の内側に設けられた段差１１に引っ掛かり、インプラントフィクスチャー保持部材２０が収納体本体１０に保持されている。
【００３１】
そして、キャップ３０が収納体本体１０の開口、及びインプラントフィクスチャー保持部材２０の収納空間２０ａの開口を覆うように閉鎖している。このとき、キャップ３０の内周面に設けられたネジが収納体本体１０の開口側端部の外周に設けられたネジを螺合することによりキャップ３０と収納体本体１０とが連結している。
【００３２】
インプラントフィクスチャー収納容器１は、全体の外郭をなす収納体本体１０がガラスや樹脂などにより形成され、チタンやチタン合金で作製されるのはインプラントフィクスチャー保持部材２０のみに限られている。従ってチタン、チタン合金の使用量を減らすことができる。
【００３３】
また、インプラントフィクスチャー保持部材は収納されるべきインプラントフィクスチャーの呼び長さによって長さを変更するので、無駄に長いインプラントフィクスチャー保持部材とならず、かかる観点からもチタン、チタン合金の使用量を減らすことができる。また、このように長さを変えることで、収納空間と内包されるインプラントフィクスチャーとの間に余分な空間が形成されることを抑制することができ、運搬時等においてインプラントフィクスチャーがインプラントフィクスチャー保持部材の内側で大きく移動することを防止することができ、損傷を防ぐことが可能である。
【００３４】
本形態のようにインプラントフィクスチャー保持部材を筒状とすれば、その作製が容易であり、コストを削減することができる。また、筒状であればインプラントフィクスチャーの外周を全て覆うように内包されるため、外部からの衝撃等を直接受け難く、保護の観点からも良好である。
【００３５】
一方、本形態におけるキャップについても、特にインプラントフィクスチャーを保持する機構を有する必要がなく、フタとしての機能を具備すればよいことから、その形状も簡易であり、作製も容易である。
【００３６】
そしてこのように組み合わされたインプラントフィクスチャー収納容器１は、内包されるインプラントフィクスチャーの呼び長さに対応した長さのインプラントフィクスチャー保持部材２０が用いられるとともに、当該インプラントフィクスチャー保持部材２０の長さに基づいて収納体本体１０に具備される位置表示手段１２の位置が決められており、次のように視認することができる。図５にはインプラントフィクスチャー収納容器１のうち、位置表示手段１２を正面にした向きからみた正面図を表した。
図５からわかるように、インプラントフィクスチャー収納容器１では、収納体本体１０は、インプラントフィクスチャー保持部材２０のうち少なくとも底側の端部を視認することができるように透明であるとともに、同時に位置表示手段１２も視認することができるように構成されている。そして、本形態では正面視において位置表示手段１２（本形態では長さ表示部１３の一辺）と、インプラントフィクスチャー保持部材２０の底側の端部とが一致するように構成されている。これにより、収納体本体１０の長さ表示部１３に記載されたインプラントフィクスチャーの呼び長さの数値と、実際に収納されているインプラントフィクスチャー保持部材２０との組み合わせを誤ることなく認識することができる。これによりインプラントフィクスチャー収納容器１を組み上げる際、及び組み上げた後であってもその検査等で、明確に誤りを視認することができ、適切なインプラントフィクスチャー収納容器１を提供することができる。またこのように明確に視認することができるので検査者の負担を軽減することもできる。
【００３７】
図６には、当該組み合わせに誤りがあった例を示す。図６（ａ）は、短いインプラントフィクスチャー保持部材が組み合わされた例、図６（ｂ）は逆に長いインプラントフィクスチャー保持部材が組み合わされた例である。図６（ａ）、図６（ｂ）からわかるように、インプラントフィクスチャー保持部材は、内包されるインプラントフィクスチャーの長さによって異なる長さとされているので、収納体本体との組み合わせを誤ると、インプラントフィクスチャー保持部材と位置表示手段とが所定の位置関係にならない。これにより誤ったインプラントフィクスチャー保持部材が収納体本体に組み合わされてしまったことが一見して認識できる。
【００３８】
図７には変形例を示した。
図７（ａ）は、インプラントフィクスチャー収納容器１’を説明する図である。インプラントフィクスチャー収納容器１’では、長さ表示部１３’が三角形で区画されておりここに長さに基づく数値が表示されている。一方、位置表示手段１２’は長さ表示部１３’の１つの頂点により形成されている。この例も位置表示手段１２’と長さ表示部１３’とが兼用されている。
図７（ｂ）は、インプラントフィクスチャー収納容器１”を説明する図である。インプラントフィクスチャー収納容器１”は、位置表示手段１２”と長さ表示部１３”とが別に設けられた例である。位置表示手段１２”はここまで説明した例に倣って位置づけられており、本例では１つの線により形成されている。一方、長さ表示部１３”は位置表示手段１２”とは無関係に収納体本体１０に設けられている。
以上のような変形例にかかるインプラントフィクスチャー収納容器１’、１”でも上記と同様の効果を奏するものとなる。
【００３９】
図８には、上記したインプラントフィクスチャー収納容器１が複数組み合わされて、１つのインプラントフィクスチャー収納容器セット５０とされた例を示した。本例では６種類の呼び長さ（６ｍｍ、８ｍｍ、１０ｍｍ、１２ｍｍ、１４ｍｍ、１６ｍｍ）が異なるインプラントフィクスチャーが内包されたインプラントフィクスチャー保持部材２０を備えるインプラントフィクスチャー収納容器１が集合して構成されている。
【００４０】
図８からわかるように、インプラントフィクスチャー保持部材２０は、インプラントフィクスチャーの呼び長さに応じてそれぞれ異なる長さを有している。これにより異なる長さのインプラントフィクスチャー保持手段が収納体本体に保持されると、その底部の位置はそれぞれ異なるものとなる。そして収納体本体１０では、正面視においてインプラントフィクスチャー保持部材２０の底側の端部が位置表示手段１２に一致するように当該位置表示手段１２の位置が構成されている。
【００４１】
このように異なる複数の呼び長さのインプラントフィクスチャーをセットとして提供する際には、さらに組み合わせに誤りが生じやすい。しかしながら、本発明によれば、上記したように組み合わせの誤りを一見して認識することができ、このような誤りを防止することが可能である。
【００４２】
ここでは、６種類のインプラントフィクスチャー収納容器１を含むインプラントフィクスチャー収納容器セット５０について説明したがこれに限らず、セットとして提供する場合には少なくとも２種類を組み合わせてもよい。また、セットを構成するインプラントフィクスチャー収納容器１の組み合わせは一部、又は全部が同じ種類であってもよく、異なるものであってもよい。
【符号の説明】
【００４３】
１  インプラントフィクスチャー収納容器
１０  収納体本体
１２  位置表示手段
１３  長さ表示部
２０  インプラントフィクスチャー保持部材
３０  キャップ
【図１】
2014209973.tif 000003
【図２】
2014209973.tif 000004
【図３】
2014209973.tif 000005
【図４】
2014209973.tif 000006
【図５】
2014209973.tif 000007
【図６】
2014209973.tif 000008
【図７】
2014209973.tif 000009
【図８】
2014209973.tif 000010